(57)【要約】【課題】  磁性体がピンチプレートに吸着することによって自動的な針止めロックする針止めを提供する。【解決手段】  底板と、左針板と、右針板とを備え、底板には、対向する２つの側辺が設置されており、左針板と右針板とが、それぞれ活動的に底板の２つの側辺に当接し、左針板と右針板には、それぞれ套管と套管針とが設置されており、套管針が活動的に套管内に挿入され、底板の２つの側辺には、それぞれピンチプレートがヒンジ連結されており、２つのピンチプレートの上端には、それぞれ左針板と右針板を係着させるためのフックが成型されており、左針板と右針板に固定され、或いはそれぞれ２つのピンチプレートに固定される磁性体を更に備え、左針板と右針板にはそれぞれ係止ヘッドが設置されており、左針板の係止ヘッドと右針板の係止ヘッドがそれぞれヒンジ連結軸に係止されている。【選択図】  図１
0003174761.tif 000002
【実用新案登録請求の範囲】
【請求項１】
底板と、左針板と、右針板とを備え、前記底板には、対向する２つの側辺が設置されており、前記左針板と前記右針板とが、ぞれぞれ活動的に前記底板の２つの側辺に当接し、前記左針板と前記右針板には、それぞれ套管針と套管が設置されており、前記套管針が活動的に前記套管内に挿入され、前記底板の２つの側辺には、それぞれピンチプレートがヒンジ連結されており、２つの前記ピンチプレートの上端には、それぞれ前記左針板又は前記右針板を係着させるためのフックが成型されており、前記底板の２つの側辺の外縁には、それぞれヒンジ連結軸と複数のヒンジ連結套管が設置されており、前記ヒンジ連結套管が前記側辺の延伸方向に間隔を置いて設置されており、前記ヒンジ連結軸が前記ヒンジ連結套管を貫通する構造改良済みの針止めであって、前記左針板と前記右針板に固定され、或いはそれぞれ２つのピンチプレートに固定される磁性体を更に備え、前記左針板と前記右針板にはそれぞれ係止ヘッドが設置されており、前記左針板の係止ヘッドと前記右針板の係止ヘッドがそれぞれ前記ヒンジ連結軸に係止されており、前記左針板が釈放されると、係止ヘッドを介して前記ヒンジ連結軸をめぐって回転し、前記右針板が釈放されると、係止ヘッドを介して前記ヒンジ連結軸をめぐって回転することを特徴とする構造改良済みの針止め。
【請求項２】
前記底板の２つの側辺には、係止スロットが設置されており、前記係止ヘッドが前記係止スロットに係止されることを特徴とする請求項１に記載の構造改良済みの針止め。
【請求項３】
前記係止ヘッドが「Ｌ」形状の係止ヘッドであることを特徴とする請求項１又は２に記載の構造改良済みの針止め。
【請求項４】
前記係止ヘッドと前記ヒンジ連結軸との接触部には、アーチ形の接続部が設置されていることを特徴とする請求項３に記載の構造改良済みの針止め。
【請求項５】
前記ピンチプレートは、前記ヒンジ連結軸の下端に、曲がったピンチプレート舌が成型されていることを特徴とする請求項１に記載の構造改良済みの針止め。
【請求項６】
前記左針板の外側面と前記右針板の外側面には、それぞれゴム板が固定されていることを特徴とする請求項１に記載の構造改良済みの針止め。
【請求項７】
前記ゴム板と、前記左針板と、前記右針板とには、それぞれリベット穴が設置されており、前記ゴム板と前記左針板とはリベットによって鋲接され、前記ゴム板と前記右針板とはリベットによって鋲接されることを特徴とする請求項６に記載の構造改良済みの針止め。
【請求項８】
前記ゴム板には、位置決め柱が設置されており、前記左針板と前記ゴム板とは位置決め柱を介して熱溶接され、前記右針板と前記ゴム板とは位置決め柱を介して熱溶接されることを特徴とする請求項６に記載の構造改良済みの針止め。
【考案の詳細な説明】
【技術分野】
【０００１】
本考案は、紙挟みのクランプに関し、具体的には、構造改良済みの針止めに関する。
【背景技術】
【０００２】
中国特許番号００２４８８０１．９の考案に、Ｕ型の底板と、左針板と、右針板とを備え、左針板と右針板にはそれぞれ中空のループバーと套管針が固定されており、套管針が活動的にループバー内に挿入され、左針板と右針板がそれぞれ活動的にＵ型の底板の左右両端に当接し、なお、左針板と右針板を片側で開けて、紙挟みを開けたり、ロックしたりする動作を実現することができるようにするために、左針板接続機構と右針板接続機構が更に設置されており、そして、左針板接続機構と右針板接続機構には、いずれも左針板接続機構と右針板接続機構に紙挟みロック動作を実現させるためのばね又はトーションバネが設置されているダブルオープン式の取外し可能な紙挟みが開示されている。ダブルオープン式針止めは、構造が複雑であり、コストが高く、操作性能が悪い。なお、ばね又はトーションバネは、その自身の弾性力の作用で、あくまで左針板接続機構と右針板接続機構とを復帰状態にし、使用過程において、左針板接続機構と右針板接続機構は、使用者の文書とダブルオープン式針止めに対する操作の邪魔になり、針止めを開けたり、ロックしたりする時に使用者に不便さをもたらしてしまう。
【考案の概要】
【考案が解決しようとする課題】
【０００３】
本考案は、従来の技術の不足点に対して、左針板と右針板における係止ヘッドがヒンジ連結軸に係止され、磁性体がピンチプレートに吸着することによって、自動的な針止めロックを実現し、動作が信頼的であり、且つ構造が簡単であり、コストが低い構造改良済みの針止めを提供することを目的とし、なお、本考案の製作時間が短く、コストが低い。
【課題を解決するための手段】
【０００４】
上述した目的を実現するために、本考案は、以下によって実現される。
【０００５】
底板と、左針板と、右針板とを備え、前記底板には、対向する２つの側辺が設置されており、前記左針板と前記右針板とが、それぞれ活動的に前記底板の２つの側辺に当接し、前記左針板と前記右針板には、それぞれ套管針と套管が設置されており、前記套管針が活動的に前記套管内に挿入され、前記底板の２つの側辺には、それぞれピンチプレートがヒンジ連結されており、２つの前記ピンチプレートの上端には、それぞれ前記左針板又は前記右針板を係着させるためのフックが成型されており、前記底板の２つの側辺の外縁には、それぞれヒンジ連結軸と複数のヒンジ連結套管とが設置されており、前記ヒンジ連結套管が前記側辺の延伸方向に間隔を置いて設置されており、前記ヒンジ連結軸が前記ヒンジ連結套管を貫通し、前記左針板と前記右針板に固定され、或いはそれぞれ２つのピンチプレートに固定される磁性体を更に備え、前記左針板と前記右針板にはそれぞれ係止ヘッドが設置されており、前記左針板の係止ヘッドと前記右針板の係止ヘッドがそれぞれ前記ヒンジ連結軸に係止されており、前記左針板が釈放されると、係止ヘッドを介して前記ヒンジ連結軸をめぐって回転し、前記右針板が釈放されると、係止ヘッドを介して前記ヒンジ連結軸をめぐって回転する構造改良済みの針止めである。
【０００６】
前記底板の２つの側辺には、係止スロットが設置されており、前記係止ヘッドが前記係止スロットに係止される。
【０００７】
前記係止ヘッドが「Ｌ」形状の係止ヘッドである。
【０００８】
前記係止ヘッドと前記ヒンジ連結軸との接触部には、アーチ形の接続部が設置されている。
【０００９】
前記ピンチプレートは、前記ヒンジ連結軸の下端に、曲がったピンチプレート舌が成型されている。
【００１０】
前記左針板の外側面と前記右針板の外側面には、それぞれゴム板が固定されている。
【００１１】
前記ゴム板と、前記左針板と、前記右針板とには、それぞれリベット穴が設置されており、前記ゴム板と前記左針板とはリベットによって鋲接され、前記ゴム板と前記右針板とはリベットによって鋲接される。
【００１２】
前記ゴム板には、位置決め柱が設置されており、前記左針板と前記ゴム板とは位置決め柱を介して熱溶接され、前記右針板と前記ゴム板とは位置決め柱を介して熱溶接される。
【考案の効果】
【００１３】
本考案は、以下のような有益な効果がある。本考案は、底板と、左針板と、右針板と、磁性体とを備え、左針板と右針板がそれぞれ活動的に底板の左右両端に当接し、左針板と右針板には、それぞれ中空のループバーと套管針が固定されており、套管針が活動的にループバー内に挿入され、底板の左右両端には、ぞれぞれピンチプレートがヒンジ連結されており、２つのピンチプレートの上端には、左針板と右針板を係着させるためのフックが成型されており、磁性体が左針板と右針板に固定され、或いはそれぞれ左針板と右針板に対応するピンチプレートに固定されており、本考案は、左針板と右針板における係止ヘッドがヒンジ連結軸に係止され、磁性体がピンチプレートに吸着することによって自動的な針止めロックを実現し、動作が信頼的であり、且つ構造が簡単であり、コストが低い。
【００１４】
なお、本考案の左針板と右針板には、それぞれ係止ヘッドが設置されており、左針板の係止ヘッドと右針板の係止ヘッドがそれぞれ底板の２つの側辺に係止されており、左針板又は右針板が釈放されると、左針板が係止ヘッドを介して側辺における上縁をめぐって回転したり、右針板が係止ヘッドを介して側辺における上縁をめぐって回転したりして、左針板と右針板がいずれもスタンピングによって製作されたものであるので、スタンピング動作を加えるだけで係止ヘッドを製作することができ、従って、本考案は、製作時間が短く、コストが低い。
【図面の簡単な説明】
【００１５】
【図１】本考案に係る実施例１の構造模式図である。
【図２】本考案に係る実施例１の正面図である。
【図３】本考案に係る実施例１の右側面図である。
【図４】本考案に係る実施例１の右針板が回転して開かれた後の構造模式図である。
【図５】本考案に係る実施例１の分解模式図である。
【図６】本考案に係る実施例２の構造模式図である。
【図７】本考案に係る実施例２の右針板が回転して開かれた後の構造模式図である。
【図８】本考案に係る実施例２の分解模式図である。
【考案を実施するための形態】
【００１６】
以下、添付図面を参照しながら本考案を更に説明する。
【００１７】
図１〜図５は、本考案の実施例１を示し、底板１と、左針板２と、右針板３とを備え、底板１には、対向する２つの側辺４が設置されており、左針板２と右針板３とが、それぞれ活動的に底板１の２つの側辺４に当接し、左針板２と右針板３には、それぞれ套管針６と套管５とが設置されており、套管針６が活動的に套管５内に挿入され、左針板２と右針板３とが、対向的に引き離すことができ、且つお互いに分離することができ、底板１の２つの側辺４には、それぞれピンチプレート７がヒンジ連結されており、２つのピンチプレート７の上端には、それぞれ左針板２又は右針板３を係着させるためのフック８が成型されており、底板１の２つの側辺４の外縁には、それぞれヒンジ連結軸１０と複数のヒンジ連結套管１１とが設置されており、ヒンジ連結套管１１が側辺４の延伸方向に間隔を置いて設置されており、ヒンジ連結軸１０がヒンジ連結套管１１を貫通し、係止ヘッド９がヒンジ連結軸１０に係止されており、左針板２と右針板３にはそれぞれ係止ヘッド９が設置されており、左針板２の係止ヘッド９と右針板３の係止ヘッド９が、それぞれヒンジ連結軸１０に係止されており、左針板２が釈放されると、係止ヘッド９を介してヒンジ連結軸１０をめぐって回転し、右針板３が釈放されると、係止ヘッド９を介してヒンジ連結軸１０をめぐって回転し、係止ヘッド９がヒンジ連結軸１０をめぐって回転する時に更にスムーズになる構造改良済みの針止めである。
【００１８】
底板１の２つの側辺４には、それぞれ係止スロット１２が設置されており、係止ヘッド９が係止スロット１２に係止される。
【００１９】
係止ヘッド９が「Ｌ」形状の係止ヘッドである。
【００２０】
係止ヘッド９とヒンジ連結軸１０との接触部には、係止ヘッド９がヒンジ連結軸１０をめぐって回転する時に更にスムーズにするためのアーチ形の接続部が設置されている。
【００２１】
左針板２と右針板３とには、それぞれ磁性体１３が設置されており、ピンチプレート７が金属ピンチプレートである。左針板２と右針板３には、いずれも磁性体１３が固定されているため、ピンチプレート７の上端が対応する左針板２又は右針板３に近づく時に、磁性体１３の磁力作用によって、ピンチプレート７は、それぞれ自動的に対応する左針板２と右針板３に吸着し、ピンチプレート７の上端におけるフック８が、それぞれ自動的に対応する左針板２と右針板３の上端に係着されて、自動的な針止めロックを実現する。
【００２２】
もちろん、磁性体１３の設置位置は、左針板２とピンチプレート７との間、右針板３とピンチプレート７との間において交換することができ、即ち、ピンチプレート７に磁性体１３を設置し、左針板２と右針板３がいずれも金属板であることで、同様に自動的な針止めロックの目的を実現することができる。
【００２３】
ピンチプレート７は、ヒンジ連結軸１０の下端に、曲がったピンチプレート舌１４が成型されている。ピンチプレート舌１４は、構造が簡単であるが、極めて重用な作用を有し、使用者に便利さを提供する。針止めを開ける時に、ピンチプレート７が外側方向に回転して開き、ピンチプレート舌１４が上に向かって回転する同時に、対応する左針板２又は右針板３を上に向かってこじ起こし、自動的に針止めを開き、針止めを閉める時に、左針板２又は右針板３を押し下げて、左針板２又は右針板３を復帰させ、左針板２又は右針板３の下端がピンチプレート舌１４に当たって、対応するピンチプレート７を自動的に内側方向に回転させ、ピンチプレート７の上端が対応する左針板２又は右針板３に近づき、左針板２と右針板３には、いずれも磁性体１３が固定されているため、ピンチプレート７の上端が対応する左針板２又は右針板３に近づく時に、磁性体１３の磁力作用によって、ピンチプレート７は、それぞれ自動的に対応する左針板２と右針板３に吸着し、ピンチプレート７の上端におけるフック８が、それぞれ自動的に対応する左針板２と右針板３の上端に係着されて、自動的な針止めロックを実現する。
【００２４】
左針板２の外側面と右針板３の外側面には、それぞれゴム板１５が固定されている。
【００２５】
本実施例において、ゴム板１５と、左針板２と、右針板３とには、それぞれリベット穴１６が設置されており、ゴム板１５と左針板２とはリベット１７によって鋲接され、ゴム板１５と右針板３とはリベット１７によって鋲接される。
【００２６】
ゴム板１５の作用は、左針板２と右針板３における金属縁を収納して、左針板２と右針板３の縁による使用者の手へのすり傷又は圧痛を回避し、ダブルオープン式クランプによりよい手触りを持たせ、ダブルオープン式２針クランプにもよりよい外観を持たせることにある。
【００２７】
図６〜図８は、本考案の実施例２を示し、本実施例において、ゴム板１５には位置決め柱１８が設置されており、左針板２とゴム板１５とは位置決め柱１８を介して熱溶接され、右針板３とゴム板１５とは位置決め柱１８を介して熱溶接されるという点で実施例１と異なり、他の構造が実施例１と同様であり、ここで詳しく述べない。
【００２８】
もちろん、本考案の套管針６と套管５は、２対又は２対以上であってもよい。
【００２９】
最後に説明すべきなのは、以上の実施例は、本考案の技術方案を説明するためのものだけであり、本考案の保護範囲を限定しなく、好ましい実施例を参照しながら本考案を詳しく説明したが、当業者として、本考案の技術方案に修正又は同等な切り替えを加えることができるが、本考案の技術方案の実質と範囲から逸脱したものではないことが理解すべきであることである。
【符号の説明】
【００３０】
１  底板、２  左針板、３  右針板、４  側辺、５  套管、６  套管針、７  ピンチプレート、８  フック、９  係止ヘッド、１０  ヒンジ連結軸、１１  ヒンジ連結套管、１２  係止スロット、１３  磁性体、１４  ピンチプレート舌、１５  ゴム板、１６  リベット穴、１７  リベット、１８  位置決め柱
【図１】
0003174761.tif 000003
【図２】
0003174761.tif 000004
【図３】
0003174761.tif 000005
【図４】
0003174761.tif 000006
【図５】
0003174761.tif 000007
【図６】
0003174761.tif 000008
【図７】
0003174761.tif 000009
【図８】
0003174761.tif 000010